(57)【要約】【課題】構成部品が少なく、構造が簡単であり、装置全体が小型であり、設定面積が狭くて済み、容器中から排出された液状内容物が外部に飛散するのを防ぐことができる。【解決手段】この発明の容器減容装置１は、架台２と、枠部材３と、蓋部材４と、ロック機構５と、押部材６と、駆動ユニット７と、排出路部材８と、を備える。駆動ユニット７は、油圧シリンダ７２を有する。枠部材３は、外側枠部材３０と、内側枠部材３１と、を有する。蓋部材４は、外側蓋部材４０と、内側蓋部材４１と、を有する。この結果、この発明の容器減容装置１は、構成部品が少なく、構造が簡単であり、装置全体が小型であり、設定面積が狭くて済み、容器９中から排出された液状内容物９０が外部に飛散するのを防ぐことができる。【選択図】        図１
2018058098.tif 000002
【特許請求の範囲】
【請求項１】
架台と、
前記架台に設けられていて、上下両端が開口した中空状の筒形状をなし、内部には容器を収納する中空部が設けられていて、上側の開口部が開口していて、下側の開口部が前記架台により閉塞されている枠部材と、
前記上側の開口部の縁に開閉可能に取り付けられていて、前記上側の開口部を閉じたり開いたりする蓋部材と、
前記蓋部材の閉状態をロックしたり前記蓋部材のロック状態を解除したりするロック機構と、
前記中空部中において、前記下側の開口部から前記上側の開口部までの間を上下方向に往復移動可能に配置されている押部材と、
前記押部材を上下方向に往復移動させる駆動ユニットと、
前記押部材により圧縮された前記容器中から排出された液状内容物を前記中空部中から外部に排出させる排出路部材と、
を備え、
前記駆動ユニットは、上下両端が前記架台と前記押部材とに取り付けられている駆動アクチュエータを有し、
前記枠部材は、外側枠部材と、前記外側枠部材中に配置されている内側枠部材と、を有し、前記外側枠部材と前記内側枠部材との間には、空間部が形成されていて、前記内側枠部材には、前記中空部と、前記中空部中の前記液状内容物を前記空間部中に排出させる排出部と、がそれぞれ設けられていて、
前記蓋部材は、前記外側枠部材の前記上側の開口部を閉じたり開いたりする外側蓋部材と、前記内側枠部材の前記上側の開口部を閉じたり開いたりする内側蓋部材と、を有する、
ことを特徴とする容器減容装置。
【請求項２】
前記外側枠部材の前記上側の開口部から前記押部材までの寸法長は、前記内側枠部材の前記上側の開口部から前記押部材までの寸法長に比較して長い、
ことを特徴とする請求項１に記載の容器減容装置。
【請求項３】
前記蓋部材には、前記蓋部材が前記上側の開口部を閉じた際に、前記上側の開口部側の前記空間部中に位置する遮蔽壁部が設けられている、
ことを特徴とする請求項１または２に記載の容器減容装置。
【請求項４】
前記押部材には、前記容器中から排出された前記液状内容物を前記排出路部材側に排出させる排出部が設けられている、
ことを特徴とする請求項１〜３のいずれか１項に記載の容器減容装置。
【請求項５】
前記排出路部材は、前記枠部材の下側の端部に配置されていて、
前記枠部材の下側の端部には、前記排出路部材中に連通する連通口が設けられている、
ことを特徴とする請求項１〜４のいずれか１項に記載の容器減容装置。
【発明の詳細な説明】
【技術分野】
【０００１】
この発明は、容器減容装置に関する。特に、この発明は、中身が入っている容器を減容する容器減容装置に関するものである。
【背景技術】
【０００２】
この種の容器減容装置は、従来（特許文献１、特許文献２）からある。特許文献１の従来の実缶処理機は、本体に缶投入用の扉と缶取出し用の扉とをそれぞれ設け、本体の内部に実缶投入容器室を形成し、容器室に開閉自在の缶投入部と缶取出し部とを設け、容器室の内部上方に押圧板を油圧シリンダーにより上下方向に往復動するように設け、容器室の下方に受け台と内容物受けとを設けたものである。特許文献１の従来の実缶処理機は、缶投入用の扉と缶投入部とを開いて、内部にジュースやビールなどの液体内容物が入った缶（実缶）を容器室の内部に投入し、缶投入用の扉と缶投入部とを閉じて、油圧シリンダーを作動させて押圧板を移動させる。これにより、実缶が押圧板と受け台との間において圧縮され、缶から飛散した液体内容物が容器室および受け台の小孔から内容物受けに排出され、本体の排出口から外部に放出される。
【０００３】
特許文献２の従来の実缶処理機は、基盤に設けたＨ型鋼や基台にプレス室を形成し、プレス室の後面にプレス板をプレスシリンダーにより前後方向に往復移動自在に設け、プレス室の前面に蓋部材を扉開閉シリンダーにより上下動開閉自在に設け、プレス室の天井部にホッパーを設け、プレス板に遮蔽板をプレス板の前後方向の往復移動に連動してプレス室の天井部を往復移動するように設けたものである。特許文献２の従来の実缶処理機は、内部にビールやコーラなどの水分を封入した缶（実缶）をホッパーを介してプレス室に投入し、プレスシリンダーによりプレス板を蓋部材の方向に移動させる。これにより、実缶がプレス板と蓋部材との間で圧縮され、実缶の内部から噴出した水分や泡等などがプレス室の床部の隙間を経て基盤の排出溝に排出され、扉開閉シリンダーで蓋部材を開放してブロック状の缶（インゴット）がプレス室から押し出されて床部の延出部に排出される。
【先行技術文献】
【特許文献】
【０００４】
【特許文献１】実開平３−３６３９０号公報
【特許文献２】実用新案登録第３０４９９２７号公報
【発明の概要】
【発明が解決しようとする課題】
【０００５】
しかしながら、特許文献１の従来の実缶処理機は、押圧板往復動用の油圧シリンダー、缶取出し用の扉開閉用の油圧シリンダーおよび缶取出し部開閉用の油圧シリンダーを備えるので、構成部品が多く、構造が複雑である。また、特許文献１の従来の実缶処理機は、容器室、缶投入部、缶取出し部、押圧板、受け台、内容物受け、３本の油圧シリンダーおよび油圧装置を、缶投入用の扉および缶取出し用の扉が設けられている本体により覆うので、装置が大型である。
【０００６】
特許文献２の従来の実缶処理機は、プレスシリンダーおよび扉開閉シリンダーを備えるので、特許文献１の従来の実缶処理機と同様に、構成部品が多く、構造が複雑である。また、特許文献２の従来の実缶処理機は、プレス室とプレスシリンダと床部の延出部とを前後に配置し、床部の下方の基盤に排出溝を設けるので、設置面積が広い。さらに、特許文献２の従来の実缶処理機は、蓋部材と遮蔽板との間が開口しているので、実缶の圧縮時に実缶の内部から噴出した水分や泡等がホッパーを介して外部に飛散する場合がある。
【０００７】
この発明が解決しようとする課題は、構成部品が少なく、構造が簡単であり、装置全体が小型であり、設定面積が狭くて済み、容器中から排出された液状内容物が外部に飛散するのを防ぐことができる容器減容装置を提供することにある。
【課題を解決するための手段】
【０００８】
この発明の容器減容装置は、架台と、架台に設けられていて、上下両端が開口した中空状の筒形状をなし、内部には容器を収納する中空部が設けられていて、上側の開口部が開口していて、下側の開口部が架台により閉塞されている枠部材と、上側の開口部の縁に開閉可能に取り付けられていて、上側の開口部を閉じたり開いたりする蓋部材と、蓋部材の閉状態をロックしたり蓋部材のロック状態を解除したりするロック機構と、中空部中において、下側の開口部から上側の開口部までの間を上下方向に往復移動可能に配置されている押部材と、押部材を上下方向に往復移動させる駆動ユニットと、押部材により圧縮された容器中から排出された液状内容物を中空部中から外部に排出させる排出路部材と、を備え、駆動ユニットが、上下両端が架台と押部材とに取り付けられている駆動アクチュエータを有し、枠部材が、外側枠部材と、外側枠部材中に配置されている内側枠部材と、を有し、外側枠部材と内側枠部材との間には、空間部が形成されていて、内側枠部材には、中空部と、中空部中の液状内容物を空間部中に排出させる排出部と、がそれぞれ設けられていて、蓋部材が、外側枠部材の上側の開口部を閉じたり開いたりする外側蓋部材と、内側枠部材の上側の開口部を閉じたり開いたりする内側蓋部材と、を有する、ことを特徴とする。
【０００９】
この発明の容器減容装置は、外側枠部材の上側の開口部から押部材までの寸法長が、内側枠部材の上側の開口部から押部材までの寸法長に比較して長い、ことが好ましい。
【００１０】
この発明の容器減容装置は、蓋部材には、蓋部材が上側の開口部を閉じた際に、上側の開口部側の空間部中に位置する遮蔽壁部が設けられている、
ことが好ましい。
【００１１】
この発明の容器減容装置は、押部材には、容器中から排出された液状内容物を排出路部材側に排出させる排出部が設けられている、ことが好ましい。
【００１２】
この発明の容器減容装置は、排出路部材が、枠部材の下側の端部に配置されていて、枠部材の下側の端部には、排出路部材中に連通する連通口が設けられている、ことが好ましい。
【発明の効果】
【００１３】
この発明の容器減容装置は、構成部品が少なく、構造が簡単であり、装置全体が小型であり、設定面積が狭くて済み、容器中から排出された液状内容物が外部に飛散するのを防ぐことができる。
【図面の簡単な説明】
【００１４】
【図１】図１は、この発明にかかる容器減容装置の実施形態を示す概略正面図である。
【図２】図２は、この実施形態にかかる容器減容装置を示す概略右側面図（図１におけるＩＩ矢視図）である。
【図３】図３は、蓋部材が開いている状態を示す一部概略右側面図（図２に対応する一部概略右側面図）である。
【図４】図４は、枠部材と押部材を示す概略平面図（図３におけるＩＶ矢視図）である。
【図５】図５は、枠部材と蓋部材を示す一部概略断面図（図２におけるＶ−Ｖ線断面図）である。図５（Ａ）は、蓋部材に遮蔽壁部が設けられている場合の一部概略断面図である。図５（Ｂ）は、蓋部材に遮蔽壁部が設けられていない場合の一部概略断面図である。
【図６】図６は、要部（枠部材、蓋部材、押部材および排出路部材）を示す概略断面図である。
【図７】図７は、減容作業の開始時の状態を示す概略断面図である。
【図８】図８は、減容作業の途中の状態を示す概略断面図である。
【図９】図９は、減容作業の完了時の状態を示す概略断面図である。
【図１０】図１０は、減容された容器を取出す状態を示す概略断面図である。
【発明を実施するための形態】
【００１５】
以下、この発明にかかる容器減容装置の実施形態（実施例）の１例を図面に基づいて詳細に説明する。
【００１６】
（実施形態の構成の説明）
以下、この実施形態にかかる容器減容装置１の構成について説明する。容器減容装置１は、架台２と、枠部材３と、蓋部材４と、ロック機構５と、押部材６と、駆動ユニット７と、排出路部材８と、を備える。容器減容装置１は、容器９、特にこの例では、中身９０が入っている容器（以下、単に「容器」と称する）９を圧縮して、その容器９の容積を小さくする。
【００１７】
容器９は、この例では、アルミ缶やスチール缶などの金属製容器、あるいは、ペットボトルなどのプラスチック製容器である。中身９０は、この例では、ビール、ジュース、水、油などであって、比較的粘度が比較的小さい流体物、すなわち、液状内容物（以下、単に「液状内容物」と称する）９０である。液状内容物９０が入っていて減容する容器９としては、液状内容物９０の賞味期限が切れているものや賞味期限が近いもの、あるいは、容器９自体の傷や凹みなどの不良品などのもの、である。また、図面中において、容器９は、二点鎖線にて示し、液状内容物９０は、破線矢印にて示す。
【００１８】
（架台２の説明）
架台２は、図１、図２に示すように、フレームなどであって、この例では、金属製の支柱や金属製の板などの構造部材を組み合わせることで構成されている。架台２は、底部２２と、天部２３と、底部２２・天部２３間に固定された柱部２４と、底部２２に設けられた脚部２０と、を有する。天部２３および柱部２４は、底部２２の正面側（前側）に設けられている。
【００１９】
架台２は、脚部２０を介して処理場のグランドＧ上に設置される。脚部２０は、固定式であっても良いし、ストッパ付の移動式であっても良い。なお、処理場のグランドＧ上には、液状内容物９０を一時溜めておくタンク２１が架台２に隣接して設置されている。このタンク２１は、固定式でも可動式でも良い。このタンク２１に溜まった液状内容物９０は、廃棄物処理されてからあるいは直接下水に流される。
【００２０】
（枠部材３の説明）
枠部材３は、架台２の天部２３に設けられている。枠部材３は、容器９の減容作業時の圧力に十分に耐え得る構造物、この例では、鋼鉄製の構造物から構成されている。枠部材３は、図１〜図１０に示すように、外側枠部材３０と、内側枠部材３１と、を有する。外側枠部材３０および内側枠部材３１（以下、単に「枠部材３」と称する）は、それぞれ、上下両端３００、３０１および３１０、３１１が開口した中空状の筒形状、この例では、四角（長方形）筒形状（２重の四角筒形状）をなし、４つの側壁部から構成されている。
【００２１】
上側の開口部３００および３１０は、開口されていて、容器９を枠部材３中に投入する投入用の開口部と、圧縮された容器９を枠部材３から取出す取出し用の開口部と、に兼用される。一方、下側の開口部３０１および３１１は、架台２の天部２３により閉塞されている。外側枠部材３０の高さは、内側枠部材３１の高さよりも高い。すなわち、外側枠部材３０の上側の開口部３００から下側の開口部３０１（押部材６）までの寸法長は、内側枠部材３１の上側の開口部３１０から下側の開口部３１１（押部材６）までの寸法長に比較して長い。枠部材３の４つの側壁部のうち左右の２つの側壁部の下側の端部には、排出路部材８中に連通する連通口３２が設けられている。
【００２２】
外側枠部材３０の開口部３００、３０１は、内側枠部材３１の開口部３１０、３１１よりも一回り大きい。内側枠部材３１は、外側枠部材３０中に配置されている。このため、外側枠部材３０の４つの側壁部の内面と内側枠部材３１の４つの側壁部の外面との間には、等間隔もしくはほぼ等間隔の空間部３３が形成されている。内側枠部材３１の４つの側壁部により囲まれている内部には、容器９を収納する中空部３４が設けられている。
【００２３】
容器９は、中空部３４中において、押部材６により圧縮される。このため、容器９中の液状内容物９０は、中空部３４中に排出される。また、内側枠部材３１の４つの側壁部には、排出部としての複数本の長孔３５が上下方向にかつ相互に平行にもしくはほぼ平行に設けられている。長孔３５は、中空部３４中の液状内容物９０を空間部３３中に排出させる。空間部３３中に排出された液状内容物９０は、連通口３２を通って排出路部材８中に排出される。
【００２４】
外側枠部材３０の４つの側壁部のうち左右の２つの側壁部の上側の端部には、遮水板３６が取り付けられている。この遮水板３６は、枠部材３から外部に出た液状内容物９０を周囲に散らさないようにするものである。なお、この遮水板３６は、取り付けなくても良い。また、外側枠部材３０の４つの側壁部のうち前側の側壁部の上端には、係止板部３７が一体に設けられている。さらに、外側枠部材３０の４つの側壁部のうち左の１つの側壁部の上側の端部には、ショックアブソーバー３８が設けられている。このショックアブソーバー３８は、設けなくても良い。
【００２５】
（蓋部材４の説明）
蓋部材４は、図１〜図３、図５〜図１０に示すように、外側蓋部材４０と、内側蓋部材４１と、を有する。蓋部材４は、枠部材３と同様に、容器９の減容作業時の圧力に十分に耐え得る構造物、この例では、鋼鉄製の構造物から構成されている。蓋部材４は、外側枠部材３０の４つの側壁部のうち後の１つの側壁部の上側の開口部３００の縁に、ヒンジ機構４２を介して開閉可能に取り付けられている。蓋部材４は、枠部材３の上側の開口部３００および３１０を閉じたり開いたりする。蓋部材４の４辺のうち後側（ヒンジ機構４２側）の辺と、枠部材３の４つの側壁部のうち後側の側壁部と、の間には、スプリング４３が設けられている。このスプリング４３の作用により、蓋部材４の開閉操作を小さい力で行うことができる。
【００２６】
外側蓋部材４０は、外側枠部材３０の上側の開口部３００よりも一回り大きい四角（長方形）板形状をなす。外側蓋部材４０の４辺の縁部の下面が外側枠部材３０の上側の端面に当接することにより、外側蓋部材４０が外側枠部材３０の上側の開口部３００を閉じる。また、外側蓋部材４０の４辺の縁部の下面と外側枠部材３０の上側の端面との当接を開放することにより、外側蓋部材４０が外側枠部材３０の上側の開口部３００を開く。
【００２７】
一方、内側蓋部材４１は、内側枠部材３１の上側の開口部３１０よりも一回り大きい四角（長方形）板形状をなす。内側蓋部材４１の板厚は、外側蓋部材４の板厚よりも、外側枠部材３０の高さと内側枠部材３１の高さとの差の分、厚い。内側蓋部材４１の４辺の縁部の下面が内側枠部材３１の上側の端面に当接することにより、内側蓋部材４１が内側枠部材３１の上側の開口部３１０を閉じる。また、内側蓋部材４１の４辺の縁部の下面と内側枠部材３１の上側の端面との当接を開放することにより、内側蓋部材４１が内側枠部材３１の上側の開口部３１０を開く。
【００２８】
蓋部材４には、蓋部材４が枠部材３の上側の開口部３００および３１０を閉じた際に、枠部材３の上側の開口部３００および３１０側の空間部３３中に位置する遮蔽壁部４４が設けられている。遮蔽壁部４４は、外側蓋部材４０の４辺の縁部の下面のうち、外側枠部材３０の上側の端面に当接する部分と内側蓋部材４１との間の任意の位置に、一体に突設されている。遮蔽壁部４４は、図４に示すように、上側から見て、外側枠部材３０の４つの側壁部の内面よりも一回り小さく、かつ、内側枠部材３１の４つの側壁部の外面よりも一回り大きい、ロ形状をなす。また、遮蔽壁部４４の先端（下端）は、図５（Ａ）に示すように、内側蓋部材４１の４辺の縁部の下面と内側枠部材３１の上側の端面との当接箇所よりも下側に位置する。
【００２９】
外側蓋部材４０の４辺のうち前側（ヒンジ機構４２に対して反対側）の辺には、取付板部４５が一体に設けられている。また、外側蓋部材４０の４辺のうち左側の辺には、当板部４６が、外側枠部材３０のショックアブソーバー３８に対応して設けられている。蓋部材４を枠部材３の上側の開口部３００および３１０を閉じた時に、当板部４６がショックアブソーバー３８に当たって、蓋部材４を枠部材３に閉じる際の衝撃を緩和させる。
【００３０】
（ロック機構５の説明）
ロック機構５は、蓋部材４の閉状態をロックしたり蓋部材４のロック状態を解除したりする。ロック機構５は、図１〜図３に示すように、ロック部材５０と、ハンドル５１と、ストッパ５２と、回転部材５３と、軸部材５４と、から構成されている。ロック機構５は、左右に２組設けられている。
【００３１】
回転部材５３は、外側蓋部材４０の取付板部４５に軸部材５４を介して左右方向（水平方向）に回転可能に取り付けられている。回転部材５３には、ロック部材５０が固定されている。ロック部材５０には、ハンドル５１が固定されている。ロック部材５０には、ロック溝５５が設けられている。ストッパ５２は、外側枠部材３０の前側の側壁部の上端部であって係止板部３７よりも下側の位置に、上下方向（垂直方向）に回転可能に取り付けられている。
【００３２】
以下、ロック機構５の操作について説明する。ハンドル５１を握って軸部材５４を中心に一方向（右側のロック機構５は右方向、左側のロック機構５は左方向）に回転操作する。すると、ロック部材５０のロック溝５５が外側枠部材３０の係止板部３７と外側蓋部材４０の取付板部４５とに入り込み、ロック部材５０が係止板部３７と取付板部４５とを挟み込んで蓋部材４の閉状態がロックされる。このとき、ストッパ５２がハンドル５１に係合している。また、手（例えば、親指）操作で、ストッパ５２のハンドル５１との係合状態を解除して、ハンドル５１を軸部材５４を中心に他方向（右側のロック機構５は左方向、左側のロック機構５は右方向）に回転操作する。すると、ロック部材５０が係止板部３７と取付板部４５とから離れて蓋部材４のロック状態が解除される。
【００３３】
（押部材６の説明）
押部材６は、図４、図６〜図１０に示すように、内側枠部材３１の上側の開口部３１０よりも一回り小さい四角（長方形）板形状をなす。押部材６は、枠部材３および蓋部材４と同様に、容器９の減容作業時の圧力に十分に耐え得る構造物、この例では、鋼鉄製の構造物から構成されている。押部材６は、中空部３４中、上下方向、すなわち、内側枠部材３１の下側の開口部３１１から上側の開口部３１０までの間を上下方向に往復移動可能に配置されている。押部材６には、容器９中から排出された液状内容物９０を排出路部材８側に排出させる排出部が設けられている。
【００３４】
排出部は、押部材６に上下方向に設けられた小円形の排出孔６０と、押部材６の４辺の縁部に上下方向に設けられた小半円形の排出溝６１と、押部材６の一面（上面）に縦横に設けられた排出路６２と、を有する。排出孔６０は、中空部３４中の液状内容物９０を押部材６から排出路部材８側に排出させる。排出溝６１は、中空部３４中の液状内容物９０を内側枠部材３１の４つの側壁部の内面と押部材６の４辺の縁部の外面との間から排出路部材８側に排出させる。排出路６２は、中空部３４中の液状内容物９０を排出孔６０側に導く。
【００３５】
（駆動ユニット７の説明）
駆動ユニット７は、この例では、油圧ユニットである。駆動ユニット７は、押部材６を上下方向に往復移動させる。駆動ユニット７は、図１、図２、図４、図６〜図１０に示すように、モータ７０と、油圧ポンプと、切換弁７１と、駆動アクチュエータとしての１本の油圧シリンダ７２と、オイルクーラー７３と、油タンクと、制御盤７４と、を有する。油圧シリンダ７２の上下両端は、架台２と押部材６とに取り付けられている。
【００３６】
すなわち、油圧リンダ７２の下端の基部は、架台２の底部２２に取り付けられていて、油圧シリンダ７２のピストンロッド７５の上端の先端は、押部材６の他面（下面）の中央に取り付けられている。ピストンロッド７５は、枠部材３の下側の開口部３０１および３１１を閉塞している架台２に対して、水密に上下方向に往復移動可能である。
【００３７】
モータ７０、油圧ポンプ、切換弁７１、オイルクーラー７３および油タンクは、架台２の底部２２背面側（後ろ側）に配置されている。一方、油圧シリンダ７２、枠部材３、蓋部材４、ロック機構５、押部材６および排出路部材８は、架台２の底部２２の正面側（前側）に配置されている。制御盤７４は、外側枠部材３０の４つの側壁部のうち右の１つの側壁部の上側の外面に配置されている。
【００３８】
（排出路部材８の説明）
排出路部材８は、図１、図２、図６〜図１０に示すように、外側枠部材３０の下側の端部に配置されている。排出路部材８は、押部材６により圧縮された容器９中から排出された液状内容物９０を中空部３４中から外部のタンク２１中に排出させる。排出路部材８は、受部８０と、配管８１と、を有する。受部８０は、中空形状をなし、外側枠部材３０の４つの側壁部のうち左右の２つの側壁部の下側の端部に設けられている。受部８０は、連通口３２を介して枠部材３の空間部３３中および中空部３４中と連通する。受部８０は、この例では、上面が開口しているが、上面開口部を開閉蓋（図示せず）により開閉可能としても良いし、上面開口部を閉塞しても良い。受部８０の下面には、排出口８２が設けられている。排出口８２の縁には、配管８１の上端が固定されている。配管８１の下端は、タンク２１に対向している。
【００３９】
（実施形態の作用の説明）
この実施形態にかかる容器減容装置１は、以上のごとき構成からなり、以下、その作用について説明する。
【００４０】
まず、起動前の容器減容装置１は、図６に示すように、ピストンロッド７５が後退していて、押部材６が最下位の位置に位置している。この状態の時に、ロック機構５を解除して、蓋部材４を開いて枠部材３の上側の開口部３００、３１０を開放する（図３を参照）。中身９０が入っている容器９を、開口された内側枠部材３１の上側の開口部３１０から内側枠部材３１の中空部３４中に投入する。
【００４１】
容器９の投入量は、蓋部材４が枠部材３の上側の開口部３００、３１０を閉じることができる程度の量、たとえば、容器９が内側枠部材３１の上側の開口部３１０から上に飛び出さない程度の量である。なお、容器９の投入量は、内側枠部材３１の４つの側壁部の内面に囲まれた空間であって、内側蓋部材４１の下面から最下位に位置する押部材６の上面までの空間によりある程度決まる。容器９の投入後、蓋部材４を閉じて枠部材３の開口部３００、３１０を閉じ、ロック機構５をロックする（図１、図２、図７を参照）。
【００４２】
つぎに、駆動ユニット７を駆動させて、ピストンロッド７５を前進させる。それに伴って、受部材６が内側枠部材３１の中空部３４中を下側の開口部３１１から上側の開口部３１０に上方向に移動する。すると、枠部材３にロックされた蓋部材４の内側蓋部材４１の下面と、内側枠部材３１の中空部３４中を蓋部材４側に移動する受部材６の上面と、の間において、中空部３４中に投入された容器９が圧縮される。
【００４３】
容器９が圧縮されると、容器９中の液状内容物９０が容器９から排出する。容器９から排出した液状内容物９０は、内側枠部材３の長孔３５を通って、内側枠部材３１の中空部３４から外側枠部材３０と内側枠部材３１との間の空間部３３中に排出される。また、容器９から排出した液状内容物９０は、受部材６の排出孔６０、排出溝６１を通って、内側枠部材３１の中空部３４のうち、容器９が圧縮されている上側の空間部中から容器９が無い下側の空間部中に下方向に排出される。排出された液状内容物９０は、排出路部材８を通って、タンク２１に排出される（図１、図８参照）。
【００４４】
さらに、ピストンロッド７５を前進させて、押部材６を上方向に圧縮作業上限位置まで移動させる。この間において、容器９は、圧縮され、かつ、圧縮された容器９から排出した液状内容物９０は、中空部３４中から排出路部材８を通って、タンク２１に排出される（図１、図９参照）。押部材６が圧縮作業上限位置に位置している状態の間は、容器９の圧縮作業が続く。この容器９の圧縮作業の時間は、任意に調整することができる。押部材６の圧縮作業上限位置は、内側蓋部材４１の下面と押部材６の上面との間の距離、すなわち、圧縮されて減容された容器９の容積に基づいて、任意に調整することができる。
【００４５】
容器９の圧縮が完了した時点で、ピストンロッド７５を停止あるいは後退させて、ロック機構５を解除して、蓋部材４を開いて枠部材３の上側の開口部３００、３１０を開放する。このとき、上側の開口部３００、３１０が蓋部材４により覆われないように、蓋部材４を全開させる。それから、ピストンロッド７５を前進限界位置まで前進させて、受部材６を上限位置まで移動させる。受部材６の上側位置は、圧縮された容器９を受部材６の上面から容易に取出すことができる程度の位置、たとえば、受部材６の上面が外側枠部材３０の上側の開口部３００よりも若干上側に突出する位置である（図１０を参照）。そして、枠部材３の上側の開口部３００、３１０から若干上側に突出した容器（圧縮されて減容された容器）９を、受部材６から取出す。それから、ピストンロッド７５を後退させて、受部材６を最下位の位置に位置させることにより、次の容器９の圧縮作業の準備が整う。
【００４６】
なお、ピストンロッド７５の前進後退、すなわち、受部材６の上下動は、全自動あるいは手動により行うことができる。また、受部材６の最下位の位置、圧縮作業上限位置、上限位置などは、検出器により検出することができる。さらに、蓋部材４の閉状態、開状態、全開状態なども、検出器により検出することができる。
【００４７】
（実施形態の効果の説明）
この実施形態にかかる容器減容装置１は、以上のごとき構成および作用からなり、以下、その効果について説明する。
【００４８】
この実施形態にかかる容器減容装置１は、構成部品が少なく、構造が簡単であり、装置全体が小型であり、設定面積が狭くて済み、容器９中から排出された液状内容物９０が外部に飛散するのを防ぐことができる。すなわち、この実施形態にかかる容器減容装置１は、油圧シリンダ７２が１本であるから、３本の油圧シリンダー（押圧板往復動用の油圧シリンダー、缶取出し用の扉開閉用の油圧シリンダー、缶取出し部開閉用の油圧シリンダー）を備える前記の特許文献１の従来の実缶処理機、および、３本のシリンダー（プレスシリンダー、左右２本の扉開閉シリンダー）を備える前記の特許文献２の従来の実缶処理機と比較して、構成部品が少なく、構造が簡単である。
【００４９】
また、この実施形態にかかる容器減容装置１は、枠部材３を外側枠部材３０と内側枠部材３１との２重構造とし、内側枠部材３１のみを外側枠部材３０により覆うものである。このため、この実施形態にかかる容器減容装置１は、容器室、缶投入部、缶取出し部、押圧板、受け台、内容物受け、３本の油圧シリンダーおよび油圧装置を、缶投入用の扉および缶取出し用の扉が設けられている本体により覆う前記の特許文献１の従来の実缶処理機と比較して、装置全体が小型である。
【００５０】
さらに、この実施形態にかかる容器減容装置１は、枠部材３、蓋部材４、油圧シリンダ７２、制御盤７４および排出路部材８を上下に配置し、かつ、これらの隣に駆動ユニット７（油圧シリンダ７２および制御盤７４を除いた部品）を配置したものである。このため、この実施形態にかかる容器減容装置１は、プレス室、蓋部材、プレスシリンダーおよび床部の延出部を前後に配置し、床部の下方の基盤に排出溝を設け、プレス室の上にホッパーを設け、プレスシリンダーの上に油圧ユニットを設ける前記の特許文献２の従来の実缶処理機と比較して、装置全体が小型であり、設定面積が狭くて済む。
【００５１】
さらにまた、この実施形態にかかる容器減容装置１は、容器９の圧縮作業中において、枠部材３の上側の開口部３００、３１０が蓋部材４により閉じていて、蓋部材４の閉状態がロック機構５によりロックされているので、容器９中から排出された液状内容物９０が枠部材３および蓋部材４から外部に飛散するのを防ぐことができる。ここで、前記の特許文献１の従来の実缶処理機は、実缶の圧縮作業中において、本体の缶投入用の扉や容器室の缶投入部が開いて、液体内容物が容器室や本体から外部に飛散する場合がある。また、前記の特許文献２の従来の実缶処理機は、実缶の圧縮作業中において、プレス板および遮蔽板と蓋部材との間が開いているので、水分や泡等などがプレス板および遮蔽板と蓋部材との間からホッパーを経て外部に飛散する場合がある。これに対して、この実施形態にかかる容器減容装置１は、液状内容物９０が枠部材３および蓋部材４から外部に飛散するのを防ぐことができる。
【００５２】
さらにまた、この実施形態にかかる容器減容装置１は、枠部材３の上側の開口部３００、３１０を、投入用の開口部と取出し用の開口部と、に兼用する。このため、この実施形態にかかる容器減容装置１は、缶投入用の扉と缶取出し用の扉と缶投入部と缶取出し部とをそれぞれ設ける前記の特許文献１の従来の実缶処理機、および、遮蔽板と蓋部材とをそれぞれ設ける前記の特許文献２の従来の実缶処理機と比較して、構成部品が少なく、構造が簡単である。
【００５３】
さらにまた、この実施形態にかかる容器減容装置１は、枠部材３の上側の開口部３００、３１０を、投入用の開口部と出し用の開口部と、に兼用する。このため、この実施形態にかかる容器減容装置１は、作業者が立ったままの姿勢で、容器９の枠部材３への投入作業と、圧縮された容器９の枠部材３および押部材６からの取出し作業とを、行うことができ、作業者の特に腰への負担を軽減することができる。
【００５４】
この実施形態にかかる容器減容装置１は、図５（Ｂ）に示すように、外側枠部材３０の高さが内側枠部材３１の高さよりも高い。すなわち、外側枠部材３０の上側の開口部３００から下側の開口部３０１（押部材６）までの寸法長が内側枠部材３１の上側の開口部３１０から下側の開口部３１１（押部材６）までの寸法長に比較して長い。このため、この実施形態にかかる容器減容装置１は、外側枠部材３０の上側の端面と外側枠部材４０の下面との当接位置が内側枠部材３１の上側の端面と内側枠部材４１の下面との当接位置に比較して上位に位置する。
【００５５】
これにより、この実施形態にかかる容器減容装置１は、下側に位置する内側枠部材３１の上側の端面と内側枠部材４１の下面との間から空間部３３中に排出した液状内容物９０が、図５（Ｂ）中の破線矢印に示すように、上側に位置する外側枠部材３０の上側の端面と外側枠部材４０の下面との間には届き難い。この結果、この実施形態にかかる容器減容装置１は、液状内容物９０が外側枠部材３０の上側の端面と外側枠部材４０の下面との間から外部に排出するのを防ぐことができる。すなわち、容器９中から排出された液状内容物９０が枠部材３および蓋部材４から外部に飛散するのを防ぐことができる。
【００５６】
この実施形態にかかる容器減容装置１は、図５（Ａ）に示すように、蓋部材４には、蓋部材４が枠部材３の上側の開口部３００および３１０を閉じた際に、枠部材３の上側の開口部３００および３１０側の空間部３３中に位置する遮蔽壁部４４が設けられている。このため、この実施形態にかかる容器減容装置１は、図５（Ａ）に示すように、容器９の圧縮作業中において、中空部３４中の圧力が高くなって、内側枠部材３１の上側の端面と内側枠部材４１の下面との間および外側枠部材３０の上側の端面と外側枠部材４０の下面との間に、隙間（この例では、約１ｍｍの隙間）が形成されたとしても、下記の通り、液状内容物９０が枠部材３および蓋部材４から外部に飛散するのを確実に防ぐことができる。
【００５７】
すなわち、中空部３４中の液状内容物９０が、内側枠部材３１の上側の端面と内側枠部材４１の下面との間の隙間から空間部３３中に排出したとしても、その空間部３３中に排出した液状内容物９０が、遮蔽壁部４４に当たって、外側枠部材３０の上側の端面と外側枠部材４０の下面との間の隙間には届かない（図５（Ａ）中の二点鎖線矢印を参照）。これにより、この実施形態にかかる容器減容装置１は、液状内容物９０が、外側枠部材３０の上側の端面と外側枠部材４０の下面との間の隙間から外部に排出するのを確実に防ぐことができる。すなわち、液状内容物９０が枠部材３および蓋部材４から外部に飛散するのを確実に防ぐことができる。
【００５８】
しかも、この実施形態にかかる容器減容装置１は、図５（Ａ）に示すように、遮蔽壁部４４の先端（下端）が内側枠部材３１の上側の端面と内側枠部材４１の下面との間よりも下側に位置する。このため、この実施形態にかかる容器減容装置１は、内側枠部材３１の上側の端面と内側枠部材４１の下面との間の隙間から空間部３３中に排出した液状内容物９０が、遮蔽壁部４４に確実に当たって、外側枠部材３０の上側の端面と外側枠部材４０の下面との間の隙間には確実に届かない（図５（Ａ）中の二点鎖線矢印を参照）。これにより、この実施形態にかかる容器減容装置１は、液状内容物９０が、外側枠部材３０の上側の端面と外側枠部材４０の下面との間の隙間から外部に排出するのをさらに確実に防ぐことができる。すなわち、液状内容物９０が枠部材３および蓋部材４から外部に飛散するのをさらに確実に防ぐことができる。
【００５９】
この実施形態にかかる容器減容装置１は、図４に示すように、押部材６には、容器９中から排出された液状内容物９０を排出路部材８側に排出させる排出部（排出孔６０、排出溝６１、排出路６２）が設けられている。このため、この実施形態にかかる容器減容装置１は、図８、図９に示すように、容器９から排出した液状内容物９０が受部材６の排出孔６０、排出溝６１を通って、内側枠部材３１の中空部３４のうち、容器９が圧縮されている上側の空間部中から容器９が無い下側の空間部中に排出されて、排出路部材８を通ってタンク２１に排出される。これにより、この実施形態にかかる容器減容装置１は、中空部３４中の液状内容物９０をスムーズに外部のタンク２１に排出することができ、枠部材３および蓋部材４から外部に漏れ出るのを防ぐことができる。
【００６０】
この実施形態にかかる容器減容装置１は、排出路部材８を枠部材３の下側の端部に配置するので、液状内容物９０を枠部材３から排出路部材８を介して外部にスムーズに排出することができる。しかも、この実施形態にかかる容器減容装置１は、枠部材３の下側の端部と排出路部材８中とが連通口３２を介して連通するので、排出路部材８中から連通口３２を介して枠部材３の下側の端部に清掃具を挿入することができる。このため、この実施形態にかかる容器減容装置１は、枠部材３の下側の端部に溜まる圧縮された容器９から離れた小片（例えば、缶のリング形状のイージーオープンエンドなど）を除去することができる。
【００６１】
（実施形態以外の例の説明）
なお、この実施形態においては、液状内容物９０が入っている容器９を圧縮して、その容器９の容積や容量を少なくするものである。しかしながら、この発明においては、液状内容物９０が入っていない容器９を圧縮して、その容器９の容積や容量を少なくするものであっても良い。
【００６２】
なお、この発明は、前記の実施形態により限定されるものではない。たとえば、前記の実施形態においては、枠部材３の外側枠部材３０および内側枠部材３１の形状が中空状の四角（長方形）筒形状（２重の四角筒形状）をなすものである。しかしながら、この発明においては、枠部材３の外側枠部材３０および内側枠部材３１の形状が中空状の四角（長方形）筒形状以外の形状、たとえば、中空状の円筒形状（２重の円筒形状）などであっても良い。すなわち、中空状の筒形状（２重の筒形状）であれば良い。また、前記の実施形態においては、蓋部材４の外側蓋部材４０および内側蓋部材４１の形状が四角（長方形）板形状をなすものである。しかしながら、この発明においては、蓋部材４の外側蓋部材４０および内側蓋部材４１の形状が四角（長方形）板形状以外の形状、たとえば、円板形状などであっても良い。すなわち、蓋部材４の外側蓋部材４０および内側蓋部材４１の形状は、枠部材３の外側枠部材３０および内側枠部材３１の上側の開口部３００および３１０を閉じることができる形状であれば良い。さらに、前記の実施形態においては、押部材６の形状が四角（長方形）板形状をなすものである。しかしながら、この発明においては、押部材６の形状が四角（長方形）板形状以外の形状、たとえば、円板形状などであっても良い。すなわち、押部材６の形状は、内側枠部材３１の中空部３４中を往復移動することができ、かつ、内側枠部材３１と共に容器９を圧縮することができる形状であれば良い。
【００６３】
また、前記の実施形態においては、外側枠部材３０の形状と内側枠部材３１の形状とが中空状の四角（長方形）筒形状（２重の四角筒形状）であって、相似の形状をなすものである。しかしながら、この発明においては、外側枠部材３０の形状と内側枠部材３１の形状とが中空状の四角（長方形）筒形状（２重の四角筒形状）であって、相似の形状以外の非相似の形状であっても良い。たとえば、外側枠部材３０の形状が中空状の四角（長方形）筒形状をなし、内側枠部材３１の形状が中空状の円筒形状をなすものであっても良いし、逆に、外側枠部材３０の形状が中空状の円筒形状をなし、内側枠部材３１の形状が中空状の四角（長方形）筒形状をなすものであっても良い。すなわち、外側枠部材３０の形状と内側枠部材３１の形状とは、２重の筒形状であれば良い。
【符号の説明】
【００６４】
１…容器減容装置、２…架台、２０…脚部、２１…タンク、２２…底部、２３…天部、２４…柱部、３…枠部材、３０…外側枠部材、３１…内側枠部材、３２…連通口、３３…空間部、３４…中空部、３５…長孔（排出部）、３６…遮水板、３７…係止板部、３８…ショックアブソーバー、３００、３１０…上側の開口部、３０１、３１１…下側の開口部、４…蓋部材、４０…外側蓋部材、４１…内側蓋部材、４２…ヒンジ機構、４３…スプリング、４４…遮蔽壁部、４５…取付板部、４６…当板部、５…ロック機構、５０…ロック部材、５１…ハンドル、５２…ストッパ、５３…回転部材、５４…軸部材、５５…ロック溝、６…押部材、６０…排出孔（排出部）、６２…排出溝（排出部）、６３…排出路（排出部）、７…駆動ユニット、７０…モータ、７１…切換弁、７２…油圧シリンダ、７３…オイルクーラー、７４…制御盤、７５…ピストンロッド、８…排出路部材、８０…受部、８１…配管、８２…排出口、９…容器、９０…液状内容物（中身）、Ｇ…グランド。
【図１】
2018058098.tif 000003
【図２】
2018058098.tif 000004
【図３】
2018058098.tif 000005
【図４】
2018058098.tif 000006
【図５】
2018058098.tif 000007
【図６】
2018058098.tif 000008
【図７】
2018058098.tif 000009
【図８】
2018058098.tif 000010
【図９】
2018058098.tif 000011
【図１０】
2018058098.tif 000012